(57)【要約】【課題】光の伝搬方向がより多様な導光板、より多様な方向からの照明が可能な照明装置、ならびに、高品位の表示が可能な反射型表示装置および電子機器を提供すること。【解決手段】第１導光部と、前記第１導光部を囲うように設けられている第２導光部と、前記第１導光部と前記第２導光部との間に設けられ、前記第１導光部および前記第２導光部よりも屈折率が低い低屈折率領域と、を有することを特徴とする導光板。また、前記第２導光部の形状は、環状であることが好ましい。また、前記低屈折率領域は、空隙である（空気である）ことが好ましい。【選択図】図２
2019067535.tif 000002
【特許請求の範囲】
【請求項１】
第１導光部と、
前記第１導光部を囲うように設けられている第２導光部と、
前記第１導光部と前記第２導光部との間に位置し、前記第１導光部および前記第２導光部のいずれよりも屈折率が低い低屈折率領域と、
を有することを特徴とする導光板。
【請求項２】
前記第２導光部の形状は、環状である請求項１に記載の導光板。
【請求項３】
前記第１導光部の外縁に対して仮想的に引いた第１内接円の中心、および、前記第２導光部の内縁に対して仮想的に引いた第２内接円の中心が互いに重なっている請求項２に記載の導光板。
【請求項４】
前記低屈折率領域は、空隙である請求項１ないし３のいずれか１項に記載の導光板。
【請求項５】
前記第２導光部は、光を入射させる入光面を備えており、
前記入光面は、前記第２導光部の表面のうち、前記第１導光部に臨む面に設けられている請求項１ないし４のいずれか１項に記載の導光板。
【請求項６】
前記第１導光部は、その主面に設けられ、前記第１導光部内を伝搬する光の光路を変換する第１光路変換構造を備えている請求項１ないし５のいずれか１項に記載の導光板。
【請求項７】
前記第１導光部は、その側面に設けられ、前記第１導光部内を伝搬する光を散乱させる光散乱構造を備えている請求項１ないし６のいずれか１項に記載の導光板。
【請求項８】
前記第２導光部は、その側面に設けられ、前記第２導光部内を伝搬する光の光路を変換する第２光路変換構造を備えている請求項１ないし７のいずれか１項に記載の導光板。
【請求項９】
請求項１ないし８のいずれか１項に記載の導光板と、
前記導光板に向けて光を出射する光源と、
を備えることを特徴とする照明装置。
【請求項１０】
請求項９に記載の照明装置を備えることを特徴とする反射型表示装置。
【請求項１１】
請求項１０に記載の反射型表示装置を備えることを特徴とする電子機器。
【発明の詳細な説明】
【技術分野】
【０００１】
本発明は、導光板、照明装置、反射型表示装置および電子機器に関するものである。
【背景技術】
【０００２】
反射型の表示パネルを備えた表示装置では、いわゆるフロントライトと呼ばれる照明装置が用いられることがある。かかる照明装置は、導光板を備えており、導光板の端面から入射させた光を、厚さ方向の一方面から表示パネルに向けて出射させ、照明する。これにより、暗所での表示を可能にする。
【０００３】
図１３は、従来の照明装置を示す平面図である。また、図１４は、従来の照明装置を備える反射型表示装置を示す断面図である。
【０００４】
図１３に示す照明装置９１は、導光板９１１と２つの光源９１３とを備えている。光源９１３から出射した光Ｌは、図１３に矢印で示すように、導光板９１１の端面から入射して導光板９１１内を伝搬する。
【０００５】
一方、導光板９１１には、導光板９１１内を伝搬する光Ｌの伝搬方向を導光板９１１の厚さ方向に変化させる構造が必要である。そこで、特許文献１には、導光板の上面に凹凸形状を設けることによって、光の伝搬方向を厚さ方向に変化させることが開示されている。具体的には、図１４に示すように、導光板９１１の上面に、緩斜面と急斜面とで構成された楔形の形状が設けられている。このような凹凸形状に光Ｌが当たると、その伝搬方向が導光板９１１の厚さ方向に変化し、導光板９１１の下面側に位置する表示パネルを照明することができる。
【０００６】
図１４に示す反射型表示装置９は、照明装置９１と、照明装置９１の下方に設けられた表示パネル９２と、照明装置９１と表示パネル９２とを接着する接着層９３と、を備えている。表示パネル９２に向けて照射された光Ｌは、表示パネル９２において反射され、導光板９１１を厚さ方向に透過して観察者の目に届くこととなる。
【０００７】
また、表示パネル９２には、例えば図示しない電気泳動粒子を分散させた分散液が封入されている。この電気泳動粒子に電界を作用させると、電気泳動粒子が泳動し、粒子や分散媒が呈する色に応じた画像を表示させることができる。したがって、粒子や分散媒で反射した光Ｌが観察者の目に届き、画像を視認することができる。
【先行技術文献】
【特許文献】
【０００８】
【特許文献１】特開２００３−３４４８８１号公報
【発明の概要】
【発明が解決しようとする課題】
【０００９】
ところで、前述した電気泳動粒子を分散させた分散液は、図１５に示すように、隔壁で区画された閉空間に封入されることがある。図１５は、図１４に示す反射側表示装置の部分拡大図である。
【００１０】
具体的には、図１５に示す表示パネル９２は、下基板９２１と、上基板９２２と、下基板９２１と上基板９２２との間に設けられた複数の隔壁９２３と、隔壁９２３と上基板９２２との間を接合する接合層９２４と、を備えている。これにより、隔壁９２３同士で区画された閉空間に、分散液９２５を封止することができる。
【００１１】
このとき、分散液９２５を確実に封止するため、隔壁９２３を接合層９２４に食い込ませる構造が採用されることがある。このような構造では、接合層９２４と分散液９２５との界面が隔壁９２３の近傍で厚さ方向に変位し、傾斜面９２６を形成する。
【００１２】
そして、導光板９１１から出射した光Ｌのうち、導光板９１１において伝搬方向が十分に変化させられなかった一部の光Ｌ’が、大きな出射角を伴って導光板９１１から出射し、傾斜面９２６に当たることがある。傾斜面９２６で反射した光Ｌ’は、上方に反射され、観察者の目に届いてしまうことになる。
【００１３】
しかも、図１３に示すように、導光板９１１の局所から放射状に光Ｌが伝搬する構成では、傾斜面９２６のうち、光源９１３に臨む一部の領域９２６ａのみに光Ｌ’が当たる一方、それ以外の領域９２６ｂには光Ｌ’が当たらない。このため、傾斜面９２６のうち、一部の領域９２６ａのみが特異的に照明されることとなり、その部分が目立つことになるため、表示される画像の品位を低下させてしまうという問題がある。
【００１４】
本発明の目的は、光の伝搬方向がより多様な導光板、より多様な方向からの照明が可能な照明装置、ならびに、高品位の表示が可能な反射型表示装置および電子機器を提供することにある。
【課題を解決するための手段】
【００１５】
上記目的は、下記の本発明により達成される。
本発明の導光板は、第１導光部と、
前記第１導光部を囲うように設けられている第２導光部と、
前記第１導光部と前記第２導光部との間に位置し、前記第１導光部および前記第２導光部のいずれよりも屈折率が低い低屈折率領域と、
を有することを特徴とする。
【００１６】
これにより、光の伝搬方向がより多様な導光板が得られる。そして、例えば高品位な表示が可能な反射型表示装置を実現することができる。
【００１７】
本発明の導光板では、前記第２導光部の形状は、環状であることが好ましい。
これにより、第１導光部の全周を取り囲むように第２導光部が配置されることになるため、第２導光部から第１導光部側へ向かう光の出射点も、第１導光部の側面全体にわたることとなり、光の伝搬方向がさらに多様になる。
【００１８】
本発明の導光板では、前記第１導光部の外縁に対して仮想的に引いた第１内接円の中心、および、前記第２導光部の内縁に対して仮想的に引いた第２内接円の中心が互いに重なっていることが好ましい。
【００１９】
これにより、第２導光部から第１導光部へ光路を変換される光の光量分布をより均一化することができる。その結果、照度ムラの発生をより確実に抑制することができる。
【００２０】
本発明の導光板では、前記低屈折率領域は、空隙であることが好ましい。
これにより、第１導光部および第２導光部と低屈折率領域との屈折率差が実質的に最大となり、第２導光部においてより遠くまで光を伝搬させることができ、第１導光部へ光路変換される光の光量分布をさらに均等化することができる。
【００２１】
本発明の導光板では、前記第２導光部は、光を入射させる入光面を備えており、
前記入光面は、前記第２導光部の表面のうち、前記第１導光部に臨む面に設けられていることが好ましい。
【００２２】
これにより、光源から出射した光の一部が第２導光部から漏れ出た場合でも、その漏洩光が第１導光部に向かってしまうのを防止することができる。その結果、漏洩光による反射型表示装置の表示品位の低下を防止することができる。
【００２３】
本発明の導光板では、前記第１導光部は、その主面に設けられ、前記第１導光部内を伝搬する光の光路を変換する第１光路変換構造を備えていることが好ましい。
【００２４】
これにより、光の伝搬方向を変換し、第１導光部の主面から光を出射させることができる。
【００２５】
本発明の導光板では、前記第１導光部は、その側面に設けられ、前記第１導光部内を伝搬する光を散乱させる光散乱構造を備えていることが好ましい。
【００２６】
これにより、第１導光部内を伝搬する光を散乱させ、局所に集中してしまうのを抑制することができる。
【００２７】
本発明の導光板では、前記第２導光部は、その側面に設けられ、前記第２導光部内を伝搬する光の光路を変換する第２光路変換構造を備えていることが好ましい。
【００２８】
これにより、光の伝搬方向を変換し、第２導光部から第１導光部に向けて出射させることができる。
【００２９】
本発明の照明装置は、本発明の導光板と、
前記導光板に向けて光を出射する光源と、
を備えることを特徴とする。
これにより、より多様な方向からの照明が可能な照明装置が得られる。
【００３０】
本発明の反射型表示装置は、本発明の照明装置を備えることを特徴とする。
これにより、高品位の表示が可能な反射型表示装置が得られる。
【００３１】
本発明の電子機器は、本発明の反射型表示装置を備えることを特徴とする。
これにより、高品位の表示が可能な電子機器が得られる。かかる電子機器は、例えば視認性および演出性が良好なものとなる。
【図面の簡単な説明】
【００３２】
【図１】本発明の反射型表示装置の実施形態を示す分解斜視図である。
【図２】図１に示す反射型表示装置の組み立て後を示す平面図である。
【図３】図１に示す反射型表示装置の組み立て後を示す断面図である。
【図４】図２に示す導光板の部分拡大図である。
【図５】図４に示す導光板の部分拡大図である。
【図６】図５に示す第２光路変換構造の変形例を示す平面図である。
【図７】図５に示す第２光路変換構造の変形例を示す平面図である。
【図８】図５に示す第２光路変換構造の変形例を示す平面図である。
【図９】図３に示す反射型表示装置の部分拡大図である。
【図１０】図２に示す導光板の部分拡大図である。
【図１１】図２に示す導光板の変形例を含む反射型表示装置を示す平面図である。
【図１２】本発明の電子機器の実施形態を適用した腕装着型電子機器を示す平面図である。
【図１３】従来の照明装置を示す平面図である。
【図１４】従来の照明装置を備える反射型表示装置を示す断面図である。
【図１５】図１４に示す反射側表示装置の部分拡大図である。
【発明を実施するための形態】
【００３３】
以下、本発明の導光板、照明装置、反射型表示装置および電子機器について、添付図面に示す好適実施形態に基づいて詳細に説明する。
【００３４】
＜反射型表示装置＞
図１は、本発明の反射型表示装置の実施形態を示す分解斜視図である。また、図２は、図１に示す反射型表示装置の組み立て後を示す平面図であり、図３は、図１に示す反射型表示装置の組み立て後を示す断面図である。
【００３５】
図１に示す反射型表示装置１は、導光板１１（本実施形態に係る導光板）と表示パネル１２と接着層１３とを備えている。このような反射型表示装置１では、接着層１３を介して導光板１１と表示パネル１２とが積層されている。
【００３６】
また、反射型表示装置１は、図２、３に示すように、導光板１１に向けて光を出射する光源１４を備えている。そして、導光板１１と光源１４とにより、照明装置１０（本実施形態に係る照明装置）が構成されている。すなわち、照明装置１０は、導光板１１と光源１４と備えており、表示パネル１２を照明するフロントライトとして用いられる。
【００３７】
このように反射型表示装置１は、図２、３に示す照明装置１０を備えている。このため、反射型表示装置１は、暗所であっても表示パネル１２における表示内容を視認することが可能なものとなる。
【００３８】
以下、反射型表示装置１の各部について詳述する。
（導光板）
導光板１１は、図１および図２に示すように、第１導光部１１１と、第１導光部１１１を囲うように設けられている第２導光部１１２と、第１導光部１１１と第２導光部１１２との間に位置し、第１導光部１１１および第２導光部１１２のいずれよりも屈折率が低い低屈折率領域１１３と、を有している。なお、図２では、説明の便宜のため、第１導光部１１１および第２導光部１１２にドットを付している。
【００３９】
第１導光部１１１は、円形をなす板状体である。この第１導光部１１１は、光透過性を有しており、内部に入射された光を閉じ込めて伝搬する。なお、本明細書における円形とは、実質的に円形であることをいい、例えば角数が２０以上の多角形（好ましくは正多角形）を含む概念である。
【００４０】
一方、第２導光部１１２は、円環状をなす板状体である。第２導光部１１２も、光透過性を有しており、内部に入射された光を閉じ込めて伝搬する。
【００４１】
また、本明細書では、板状体のうち、互いに表裏の関係にある２つの面を「主面」といい、主面同士をつなぐ面を「側面」といい、主面と側面とを合わせて「表面」という。
【００４２】
なお、本実施形態において２つの主面はいずれも平坦面であるが、少なくとも一方の主面が湾曲凹面または湾曲凸面であってもよい。
【００４３】
図２および図３では、光源１４から出射した光の光路の例を示している。なお、図中の矢印が表す光路は、説明の便宜のため、簡易的に表されたものである。
【００４４】
光源１４から出射した光Ｌ１は、まず、第２導光部１１２の側面から入射される。この光Ｌ１は、第２導光部１１２の表面で全反射を繰り返しながら、第２導光部１１２内を周方向（図２中、反時計回り）に伝搬する。
【００４５】
一方、このように光Ｌ１が伝搬している状態において、第２導光部１１２に後述する第２光路変換構造が設けられていると、第２導光部１１２を周方向に伝搬する光Ｌ１の一部の光路が、図２に示すように第１導光部１１１側に向けて変換される。換言すれば、第２導光部１１２を周方向に伝搬する光Ｌ１は、その光量の一部が第１導光部１１１側に少しずつ振り分けられながら第２導光部１１２を伝搬している。このように第２導光部１１２では、光Ｌ１が全周にわたって伝搬しているため、第１導光部１１１側に向かう光Ｌ２の出射点も、第２導光部１１２の全周にわたってより広範囲に分布することとなる。
【００４６】
そして、このように第２導光部１１２から第１導光部１１１側に向かう光Ｌ２の出射点がより広範囲に分布することにより、例えば表示パネル１２内に隔壁等が存在していても、この隔壁等に対してもその周囲から（好ましくは全周から）光Ｌ２を照射することが可能になる。これにより、隔壁等をより多くの方向から（好ましくは全方向から）照明することができ、隔壁等の一部の領域のみが特異的に照明されることが抑制される。
【００４７】
すなわち、光源１４から出射した光Ｌ１を表示パネル１２に照射する過程で、第２導光部１１２と第１導光部１１１とを順次経由させることによって、外縁側から中心に向かうような光Ｌ２の伝搬が誘起されることとなり、光Ｌ２の伝搬方向がより多様化される。これにより、隔壁等の一部の領域のみが特異的に照明されてしまうことが抑制され、一部が目立つことによって観察者に違和感を与えることが抑制される。その結果、反射型表示装置１の表示品位がより低下しにくくなり、高品位の表示が可能な反射型表示装置１が得られる。
【００４８】
また、このような導光板１１を備えることにより、より多様な方向からの照明が可能な照明装置１０が得られる。かかる照明装置１０は、例えば隔壁等の凹凸形状を照明する際に、特定の方向に臨む面のみを照明してしまうことによる不具合（違和感）の発生を抑え得るものとなる。このため、良好な照明特性を示す照明装置１０が得られる。
【００４９】
また、本実施形態に係る導光板１１では、第１導光部１１１と第２導光部１１２との間に低屈折率領域１１３が位置している。このため、第１導光部１１１と低屈折率領域１１３との界面、および、第２導光部１１２と低屈折率領域１１３との界面では、それぞれ屈折率差に基づく全反射が生じる確率が特に高い。これにより、第２導光部１１２の全周にわたって光Ｌ１を効率よく伝搬させることができ、例えば光源１４の輝度が低い場合であっても表示パネル１２を十分な照度で照明することができる。
【００５０】
また、低屈折率領域１１３の屈折率によっては、第２導光部１１２を伝搬する光Ｌ１の光路を第１導光部１１１側に変換する際、前述した界面に対する入射角が、全反射の臨界角より小さな角度（界面に対して垂直な成分）に制限されやすくなる。このようにして入射角が絞り込まれることにより、第２導光部１１２から第１導光部１１１に向かう光Ｌ２の伝搬方向をより多様化することができる。すなわち、第２導光部１１２の内縁に対してより垂直に近い方向で光Ｌ２を出射させることができるため、第１導光部１１１の中心に向かってほぼ全周から光Ｌ２が伝搬することとなる。このため、前述した特異的な照明をより確実に抑制することができる。
【００５１】
また、第２導光部１１２の平面視形状は、前述したように環状をなしている。これにより、第１導光部１１１の周囲を取り囲むように第２導光部１１２を配置することができる。このため、第１導光部１１１側に向かう光Ｌ２の出射点も、第１導光部１１１の側面全体にわたることとなり、前述した光Ｌ２の伝搬方向がさらに多様になる。
【００５２】
一方、第１導光部１１１に入射した光Ｌ２は、図３に示すように、第１導光部１１１の表面で全反射を繰り返しながら、第１導光部１１１を主面の面内方向に伝搬する。
【００５３】
このように光Ｌ２が伝搬している状態において、第１導光部１１１に後述する第１光路変換構造が設けられていると、第１導光部１１１の主面の面内方向に伝搬する光Ｌ２の一部の光路が、図３に示すように第１導光部１１１の厚さ方向に変換される。その結果、表示パネル１２が照明されるとともに、表示パネル１２で反射した光Ｌ３を観察者の目に届けることができ、観察者は暗所であっても表示内容を視認することができる。そして、前述した特異的な照明の発生を抑えるとともに、照度ムラの発生も抑えられ、より高品位な表示が可能な反射型表示装置１が得られる。
【００５４】
第１導光部１１１および第２導光部１１２の構成材料は、互いに同じであってもよく、異なっていてもよい。
【００５５】
かかる構成材料としては、例えば、（メタ）アクリル系樹脂、ポリカーボネートのような樹脂材料の他、ガラス材料等が挙げられる。このうち、樹脂材料が好ましく用いられる。樹脂材料によれば、寸法精度が高く軽量な第１導光部１１１および第２導光部１１２が容易に得られる。
【００５６】
また、第１導光部１１１および第２導光部１１２の屈折率も、互いに同じであってもよく、異なっていてもよい。
【００５７】
一方、第１導光部１１１および第２導光部１１２の屈折率は、それぞれ低屈折率領域１１３の屈折率より高ければ特に限定されない。なお、第２導光部１１２の屈折率と低屈折率領域１１３の屈折率との差は、第２導光部１１２における光Ｌ１の伝搬状態を左右することとなる。すなわち、屈折率差を大きくすることにより、光Ｌ１の伝搬距離をより長くすることができ、一方、屈折率差を小さくすることにより、光Ｌ１の伝搬距離をより短くすることができる。このため、かかる屈折率差を適宜調整することにより、第２導光部１１２から第１導光部１１１へ出射する光Ｌ２の光量分布をより均等化することが可能になる。
【００５８】
なお、第２導光部１１２と低屈折率領域１１３との屈折率差は、できるだけ大きいことが好ましい。これにより、第２導光部１１２を伝搬する光量をより増やすことができる。一例として０．０１以上１以下であるのが好ましく、０．０３以上０．７以下であるのがより好ましい。前記屈折率差は前記上限値を上回ってもよいが、他の光学特性や機械的特性の観点で材質の選択自由度が狭まるおそれがある。
【００５９】
一方、第１導光部１１１と低屈折率領域１１３との屈折率差は、できるだけ小さいことが好ましい。これにより、低屈折率領域１１３から第１導光部１１１への入射における反射損失を抑制することができる。一例として０．００１以上０．５以下であるのが好ましく、０．００３以上０．３以下であるのがより好ましい。
【００６０】
また、本実施形態では、低屈折率領域１１３が空隙である。すなわち、本実施形態に係る低屈折率領域１１３は空気で構成されており、その屈折率は約１である。したがって、本実施形態では、第１導光部１１１および第２導光部１１２と低屈折率領域１１３との屈折率差が実質的に最大となる。このため、光Ｌ１をより遠くまで伝搬させることができ、条件によっては、光Ｌ１を２回以上周回させることができるため、光Ｌ２の光量分布をさらに均等化することができる。
【００６１】
なお、低屈折率領域１１３は、第１導光部１１１および第２導光部１１２よりも低屈折率の材料で充填されていてもよい。かかる低屈折率材料としては、特に限定されないが、各種樹脂材料が挙げられる。また、低屈折率材料は、固体の他、液体やゲル体であってもよい。
【００６２】
低屈折率領域１１３の幅（基部１１０の径方向の長さ）は、特に限定されないが、導光板１１の組み立て易さや導光板１１の小型化を考慮した場合、導光板１１の厚さより小さいことが好ましく、具体的には０．１ｍｍ以上２ｍｍ以下程度であるのが好ましく、０．３ｍｍ以上１ｍｍ以下程度であるのがより好ましい。
【００６３】
また、低屈折率領域１１３の幅は、周方向で均一であってもよく、部分的に異なっていてもよい。
【００６４】
導光板１１の厚さは、導光板１１の大きさ等に応じて適宜設定され、特に限定されないが、０．２ｍｍ以上２ｍｍ以下であるのが好ましく、０．３ｍｍ以上１ｍｍ以下であるのがより好ましい。
【００６５】
なお、第２導光部１１２において、第２光路変換構造が奏する機能と同様の機能が設けられている場合には、必ずしも第２光路変換構造は必要とされない。
【００６６】
次に、第２導光部１１２についてさらに詳述する。
図４は、図２に示す導光板１１の部分拡大図である。
【００６７】
図４に示す第２導光部１１２は、円環状をなす円環部１１２ａと、この円環部１１２ａに対して光Ｌ１を入射する入光部１１２ｂと、を備えている。なお、図３では、第２導光部１１２が図示しない部材によって表示パネル１２に支持されている。
【００６８】
入光部１１２ｂは、円環部１１２ａからその接線方向に延長させた部位である。そして、入光部１１２ｂの側面には光源１４に対向する入光面１１４が含まれている。光源１４から出射した光Ｌ１は入光面１１４から入射し、入光部１１２ｂを経て円環部１１２ａ内を伝搬することとなる。
【００６９】
また、光Ｌ１の一部（光Ｌ２）は、前述したように、低屈折率領域１１３を介して第１導光部１１１に向かうように伝搬方向が変換される。
【００７０】
なお、第２導光部１１２は、光Ｌ１を入射させる入光面１１４を備えており、図４に示す入光面１１４は、第２導光部１１２の表面のうち、第１導光部１１１に臨む面に設けられている。このような入光面１１４では、光源１４からの光Ｌ１の出射方向が第１導光部１１１とは反対側に向かう方向となる。このため、光源１４から出射した光の一部が第２導光部１１２から漏れ出た場合でも、その漏洩光が円環部１１２ａや第１導光部１１１に向かってしまうのを防止することができる。その結果、漏洩光による反射型表示装置１の表示品位の低下を防止することができる。
【００７１】
なお、「入光面１１４が第１導光部１１１に臨む」とは、入光面１１４からその面上に伸びる法線を引いたとき、その法線が第１導光部１１１を通過する状態をいう。そのような状態のうちでも、法線が第１導光部１１１の中心部（中心またはその近傍）を通過するように入光面１１４が設けられていることが好ましい。これにより、漏洩光による表示品位の低下を最小限にとどめることができる。
【００７２】
なお、入光面１１４は、前述したような配置に限定されるものではなく、第１導光部１１１に臨む面以外の面に設けられていてもよい。
【００７３】
また、図４に示す円環部１１２ａは、図２に示すように閉じた環状をなしているが、これに限定されるものではなく、途中で途切れていてもよい。すなわち、第２導光部１１２は、第１導光部１１１の全周を囲っている必要はなく、少なくとも一部の側面を囲うように設けられていればよい。その場合、照度ムラ等の観点から、途切れた部分の長さは、全周の１０％以下に抑えられることが好ましい。
【００７４】
また、低屈折率領域１１３のうち、入光部１１２ｂと円環部１１２ａとの接続部近傍には、図４に示すような遮光部材１５が設けられていてもよい。接続部近傍にこのような遮光部材１５を設けることにより、入光部１１２ｂから円環部１１２ａへと合流する光Ｌ１のうち、全反射せずに直接、低屈折率領域１１３を透過し、第１導光部１１１へ侵入してしまう光を遮光することができる。これにより、局所的に照度が大きくなる照度ムラが発生して、表示品位が低下するのを防止することができる。
【００７５】
なお、遮光部材１５の構成材料としては、例えば金属材料、着色等の遮光処理を施した樹脂材料等が挙げられる。
【００７６】
図５は、図４に示す導光板１１の部分拡大図である。なお、以下の説明では、円環状をなす円環部１１２ａのうち、内側の縁のことを「内縁」といい、外側の縁のことを「外縁」という。
【００７７】
図５に示す第２導光部１１２は、その側面（第２導光部１１２の内縁の側面）に設けられ、側面の一部が突出してなる凸部１１２ｃを備えている。この凸部１１２ｃは、第２導光部１１２内を伝搬する光Ｌ１の光路を変換する第２光路変換構造として機能する。したがって、第２導光部１１２を伝搬する光Ｌ１のうち、凸部１１２ｃに入光した光Ｌ１は、全反射することなく出射し、光Ｌ２として低屈折率領域１１３を経て第１導光部１１１に入射されることとなる。
【００７８】
なお、凸部１１２ｃの突出長さは、特に限定されないが、一例として、円環部１１２ａの外縁の直径の０．０５％以上５％以下程度であるのが好ましく、０．２％以上１％以下程度であるのがより好ましい。これにより、上述した効果がより十分に得られる。
【００７９】
凸部１１２ｃの平面視形状、すなわち導光板１１の主面を平面視したときの形状としては、特に限定されず、例えば半円状、多角形状のような規則的な形状が挙げられるが、不規則的な形状（異形状）であってもよい。
【００８０】
一方、第２導光部１１２の厚さ方向における凸部１１２ｃの形状は、厚さ方向において部分的に異なっていてもよいが、厚さ方向全体において同形状であるのが好ましい。これにより、厚さ方向のどの部位から出射したとしても、光Ｌ２の挙動を均一にすることができる。
【００８１】
また、図５では、凸部１１２ｃと第１導光部１１１とが離間している（低屈折率領域１１３が介在している）が、凸部１１２ｃと第１導光部１１１とが接していてもよい。後者の場合であっても、凸部１１２ｃ以外の部分で第２導光部１１２と第１導光部１１１とが離間していれば、上記と同様の効果が得られる。
【００８２】
なお、凸部１１２ｃの配置密度は、光Ｌ１のうちどの程度を第１導光部１１１に導くかによって、適宜設定され、特に限定されない。
【００８３】
また、凸部１１２ｃは、第２導光部１１２の全周において均等に設けられてもよく、不均等に設けられてもよい。不均等に設ける場合、例えば、光源１４から離れるにつれて配置密度が高くなるように設けるパターンが挙げられる。
【００８４】
また、複数の凸部１１２ｃの突出長さは、互いに同じであってもよく、異なっていてもよい。
【００８５】
なお、凸部１１２ｃの平面視形状が半円状である場合、その曲線の半径は導光板１１の大きさ等によっても異なるが、一例として０．０５ｍｍ以上２ｍｍ以下程度であるのが好ましく、０．１ｍｍ以上１ｍｍ以下程度であるのがより好ましい。
また、上述した第２光路変換構造の具体的な形状は、図５に示すものに限定されない。
【００８６】
図６〜図８は、それぞれ図５に示す第２光路変換構造の変形例を示す平面図である。
以下、第２光路変換構造の変形例について説明するが、以下の説明では、図５に示す第２光路変換構造との相違点を中心に説明し、同様の事項についてはその説明を省略する。
【００８７】
図６に示す第２導光部１１２は、その側面（第２導光部１１２の外縁の側面）に設けられ、側面の一部が突出してなる複数の凸部１１２ｄを備えている。この凸部１１２ｄも、第２導光部１１２内を伝搬する光Ｌ１の光路を変換する第２光路変換構造として機能する。したがって、第２導光部１１２を伝搬する光Ｌ１のうち、凸部１１２ｄに入光した光Ｌ１は、第１導光部１１１に向かって反射され、光Ｌ２として低屈折率領域１１３を経て第１導光部１１１に入射されることとなる。すなわち、光Ｌ１の伝搬方向を変換し、第２導光部１１２から第１導光部１１１に向けて出射させることができる。
凸部１１２ｄの平面視形状は、半円状をなしている。
【００８８】
また、図６に示す例では、複数の凸部１１２ｄが設けられており、かつ、凸部１１２ｄ同士が接するように設けられている。なお、かかる配置等は、特に限定されない。
【００８９】
図７に示す第２導光部１１２は、その側面（第２導光部１１２の外縁の側面）に設けられ、側面の一部が突出してなる複数の凸部１１２ｅを備えている。
凸部１１２ｅの平面視形状は、三角形をなしている。
【００９０】
また、図７に示す例でも、複数の凸部１１２ｅが設けられており、かつ、凸部１１２ｅ同士が接するように設けられている。なお、かかる配置等は、特に限定されない。
【００９１】
図８に示す第２導光部１１２は、その側面（第２導光部１１２の外縁の側面）に設けられ、側面の一部が凹没してなる複数の凹部１１２ｆを備えている。
【００９２】
凹部１１２ｆの平面視形状は、半円状をなしている。なお、凹部１１２ｆの平面視形状は、これに限定されず、例えば多角形状のような規則的な形状の他、不規則的な形状であってもよい。
【００９３】
なお、凹部１１２ｆの凹没深さは、特に限定されないが、一例として、第２導光部１１２の外縁の直径の０．０５％以上５％以下程度であるのが好ましく、０．２％以上１％以下程度であるのがより好ましい。これにより、上述した効果がより十分に得られる。
【００９４】
次に、第１導光部１１１についてさらに詳述する。
図９は、図３に示す反射型表示装置１の部分拡大図である。
【００９５】
図９に示す第１導光部１１１は、下方の主面から突出する凸部１１１ａを備えている。この凸部１１１ａは、第１導光部１１１内を伝搬する光Ｌ２の光路を変換する第１光路変換構造として機能する。すなわち、第１導光部１１１は、その主面に設けられ、第１導光部１１１内を伝搬する光Ｌ２の光路を変換する第１光路変換構造を備えている。これにより、光Ｌ２の伝搬方向を、第１導光部１１１の厚さ方向に変換し、第１導光部１１１の主面から出射させて表示パネル１２を照明することができる。すなわち、第１導光部１１１を伝搬する光Ｌ２のうち、凸部１１１ａに入光した光Ｌ２は、全反射することなく出射し、光Ｌ３として表示パネル１２に入射されることとなる。
【００９６】
なお、凸部１１１ａの突出高さは、特に限定されないが、一例として、０．５μｍ以上５０μｍ以下程度であるのが好ましく、１μｍ以上２０μｍ以下程度であるのがより好ましい。これにより、表示パネル１２をより均一に照明することができる。
【００９７】
また、第１導光部１１１の下方の主面には、複数の凸部１１１ａが敷き詰められるように配置される。これにより、表示パネル１２を照明するときの照度ムラの発生を抑えることができる。
【００９８】
なお、複数の凸部１１１ａの突出高さは、互いに同じであってもよく、異なっていてもよい。
【００９９】
また、図９に示す凸部１１１ａは半球状をなしている。なお、凸部１１１ａの形状は、これに限定されず、例えば三角錐や四角錐のような角錐といった規則的な形状の他、不規則的な形状であってもよい。また、凸部１１１ａに代えて凹部が設けられていてもよい。
【０１００】
一方、図示しないものの、このような凸部１１１ａ（または凹部）は、第１導光部１１１の上方の主面に設けられていてもよく、双方の主面に設けられていてもよい。
【０１０１】
図１０は、図２に示す導光板１１の部分拡大図である。
第１導光部１１１内を伝搬する光Ｌ２は、第２光路変換構造でその光路が変換されない限り、第１導光部１１１の外縁における反射を繰り返しながら第１導光部１１１内を伝搬し続けることとなる。
【０１０２】
このため、例えば第１導光部１１１の外縁形状が円形状をなしている場合、かかる外縁が凹面鏡のように作用し、光Ｌ２が局所に集束してしまう可能性がある。このようにして光Ｌ２が集束してしまうと、前述した特異的な照明と同様、反射型表示装置１の表示品位の低下を招くこととなる。
【０１０３】
そこで、図１０に示す第１導光部１１１は、その側面（外縁の側面）に設けられ、側面の一部が突出してなる複数の凸部１１１ｂを備えている。この凸部１１１ｂは、第１導光部１１１内を伝搬する光Ｌ２を散乱させる光散乱構造として機能する。すなわち、第１導光部１１１は、その側面に設けられ、第１導光部１１１内を伝搬する光Ｌ２を散乱させる光散乱構造を備えている。したがって、第１導光部１１１を伝搬する光Ｌ２は、局所に集中してしまうことが抑制され、反射型表示装置１における表示品位の低下を抑制することができる。
【０１０４】
（導光板の変形例）
次に、導光板１１の変形例について説明する。
図１１は、図２に示す導光板１１の変形例を含む反射型表示装置を示す平面図である。
【０１０５】
以下、導光板の変形例について説明するが、以下の説明では、図２に示す導光板との相違点を中心に説明し、同様の事項についてはその説明を省略する。
【０１０６】
図１１に示す導光板１１では、第１導光部１１１の外縁形状ならびに第２導光部１１２の内縁形状および外縁形状がそれぞれ四角形をなしている以外、図２に示す導光板１１と同様である。すなわち、第２導光部１１２は、円環状ではないものの、図１１に示すような略四角形の環状をなしている。
【０１０７】
このように形状が異なっていても、図１１に示す導光板１１は、図２に示す導光板１１と同様の効果を奏する。
【０１０８】
一方、導光板１１の形状によらず（図２に示す導光板１１や図１１に示す導光板１１の双方において）、第１導光部１１１と第２導光部１１２は、互いの位置関係を最適化しておくことが好ましい。具体的には、第１導光部１１１の外縁に対して第１内接円１１１ｘ（図１１の破線）を仮想的に引き、第２導光部１１２の内縁に対して第２内接円１１２ｘ（図１１の一点鎖線）を仮想的に引いたとき、第１内接円１１１ｘの中心と第２内接円１１２ｘの中心とが互いに重なっていることが好ましい。このような位置関係が設定されていることにより、第２導光部１１２から第１導光部１１１へ光路を変換される光Ｌ２の光量分布をより均一化することができる。その結果、照度ムラの発生をより確実に抑制することができる。
【０１０９】
なお、第１内接円１１１ｘの中心と第２内接円１１２ｘの中心とが互いに重なっているとは、中心同士の離間距離が第２導光部１１２の外縁の直径の５％以下である状態をいう。
【０１１０】
（表示パネル）
表示パネル１２は、図３に示すように、下基板１２１と、上基板１２２と、下基板１２１と上基板１２２との間に設けられた表示層１２３と、を備えている。
【０１１１】
下基板１２１は、絶縁基板と、それに形成された駆動回路と、を備えている。
絶縁基板の構成材料としては、例えば各種樹脂材料、各種ガラス材料等が挙げられる。
【０１１２】
駆動回路には、例えば画素電極、外部端子、ＴＦＴ（Thin Film Transistor）素子、電子部品等が含まれており、これらは配線パターンによって電気的に接続されている。かかる駆動回路に通電することにより、例えば表示層１２３に含まれた電気泳動粒子を泳動させる等して表示内容を変化させることができる。これにより、所望の表示内容を観察者に視認させることができる。
【０１１３】
上基板１２２は、絶縁基板と、それに形成された共通電極回路と、を備えている。
共通電極回路には、例えば共通電極、外部端子等が含まれており、これは配線パターンによって電気的に接続されている。
【０１１４】
表示層１２３は、隔壁等によって複数の区画（画素）に分割された電気泳動分散液を備えている。各画素には前述した画素電極が設けられており、画素ごとに電気泳動粒子の泳動を独立して制御することができる。これにより、任意の内容を表示することができる。
【０１１５】
なお、表示パネル１２は、上述した電気泳動表示パネルに限定されず、例えば反射型液晶表示パネルや磁気泳動表示パネル等の各種反射型表示パネルであってもよい。
【０１１６】
（接着層）
接着層１３は、導光板１１と表示パネル１２との間に介挿され、これらを接着している。
【０１１７】
接着層１３を構成する接着剤としては、例えば、硬化後に光透過性を有する接着剤の中から適宜選択される。また、光学粘着シート（ＯＣＡ）のような粘着フィルムを用いるようにしてもよい。
【０１１８】
なお、接着層１３の硬化後の屈折率は、導光板１１の屈折率より低いことが好ましい。これにより、導光板１１に対して接着層１３が接していても、導光板１１における光Ｌ１および光Ｌ２の伝搬特性が確保される。
【０１１９】
導光板１１と接着層１３の硬化物との屈折率差は、特に限定されないが、一例として０．０１以上０．７以下であるのが好ましく、０．０３以上０．５以下であるのがより好ましい。屈折率差を前記範囲内に設定することにより、導光板１１における光Ｌ１および光Ｌ２の伝搬特性が確保される一方、前述した第１光路変換構造において適切な光路変換がなされる。また、第１光路変換構造によって光路変換された光Ｌ３が接着層１３を透過するときの透過率を高めることができ、明度やコントラストが良好な表示が可能になる。
【０１２０】
接着層１３の構成材料としては、例えば、（メタ）アクリル樹脂、エポキシ樹脂、シリコーン樹脂、ポリスチレン、ポリカーボネート等が挙げられる。
【０１２１】
接着層１３の厚さは、特に限定されないが、０．０１ｍｍ以上０．５ｍｍ以下であるのが好ましく、０．０５ｍｍ以上０．３ｍｍ以下であるのがより好ましい。接着層１３の厚さを前記範囲内に設定することにより、導光板１１から凸部１１１ａ（図９参照）が突出していても、それを接着層１３に内包することができる。すなわち、凸部１１１ａの先端が表示パネル１２に接触してしまうのを抑制することができる。その結果、前述した凸部１１１ａが第１光路変換構造としてより確実に機能することができる。また、照明装置１０が必要以上に厚くなるのを防止することができる。
【０１２２】
（光源）
光源１４は、導光板１１に向けて光Ｌ１を出射し得るものであれば、特に限定されないが、例えばＬＥＤ（Light Emitting Diode）、ＬＤ（Laser Diode）、冷陰極管等が挙げられる。
【０１２３】
また、複数の光源１４が設けられてもよい。
また、光源１４と導光板１１との間に任意の光学要素が設けられていてもよい。かかる光学要素としては、例えばレンズ、プリズム、拡散板等が挙げられる。
【０１２４】
（その他の構成部品）
反射型表示装置１は、上述した各部の他に、任意の構成部品を備えていてもよい。
【０１２５】
例えば、反射型表示装置１は、フレキシブル回路基板、リジッド回路基板のような各種回路基板を備えていてもよい。かかる回路基板には、コネクター、電子部品等が搭載されていてもよい。電子部品としては、例えば、発振回路や分周回路等の計時回路を含む制御素子、各種演算素子（ＣＰＵ（Central Processing Unit）、ＬＳＩ（Large-Scale Integration）等）のような能動素子、コンデンサー、抵抗、ダイオード、コイルのような受動素子等が挙げられる。
【０１２６】
また、反射型表示装置１は、太陽電池、一次電池、二次電池、操作ボタン、アンテナ、センサー素子、モーター等を備えていてもよい。
【０１２７】
＜電子機器＞
次に、本発明の電子機器の実施形態について説明する。本実施形態に係る電子機器は、前記実施形態に係る反射型表示装置を備えている。
【０１２８】
図１２は、本発明の電子機器の実施形態を適用した腕装着型電子機器を示す平面図である。
【０１２９】
図１２に示す腕装着型電子機器１００は、本体部１２０と、本体部１２０に内蔵された図示しない時計機構と、バンド部１３０と、を備えている。
【０１３０】
また、本体部１２０には図示しない機器ケース部材が含まれるとともにその内側には表示部１４０が内蔵されており、例えば現在の日時や位置情報等を表示している。かかる表示部１４０は、前記実施形態に係る反射型表示装置１である。このため、暗所であっても表示内容を視認することができ、しかもその際、一部の領域が特異的に照明されてしまうことによる不具合の発生が抑えられることによって、高品位な表示が可能である。その結果、例えば視認性および演出性が良好な腕装着型電子機器１００が得られる。
【０１３１】
また、前述した反射型表示装置１に含まれる低屈折率領域１１３は、本体部１２０の機器ケース部材によって覆われていることが好ましい。これにより、低屈折率領域１１３から発生した漏洩光が観察者の目に届くのを防止することができる。その結果、漏洩光による反射型表示装置１の表示品位の低下を防止することができる。
【０１３２】
なお、低屈折率領域１１３を覆う部材は、機器ケース部材に限定されず、例えば太陽電池やダイヤルリング等の部材であってもよい。
【０１３３】
一方、腕装着型電子機器１００は、衛星測位システムの一種であるＧＰＳ（Global Positioning System）アンテナや時刻修正用の標準電波受信アンテナ等を内蔵していてもよい。
【０１３４】
なお、本発明の電子機器は、上記の他にも、携帯電話端末、スマートフォン、タブレット端末、電子ペーパー、ウェアラブル端末、カメラ、フォトフレーム、各種計器類（例えば自動車、鉄道車両、航空機等）、各種リモートコントローラー（リモコン）、デジタルサイネージ等の各種機器に適用可能である。
【０１３５】
以上、本発明について、図示の実施形態に基づいて説明したが、本発明はこれに限定されるものではない。
【０１３６】
例えば、導光板、照明装置、反射型表示装置および電子機器では、各部の構成は、同様の機能を有する任意の構成のものに置換することができ、また、他の任意の構成を付加することもできる。
【符号の説明】
【０１３７】
１…反射型表示装置、９…反射型表示装置、１０…照明装置、１１…導光板、１２…表示パネル、１３…接着層、１４…光源、１５…遮光部材、９１…照明装置、９２…表示パネル、９３…接着層、１００…腕装着型電子機器、１１１…第１導光部、１１１ａ…凸部、１１１ｂ…凸部、１１１ｘ…第１内接円、１１２…第２導光部、１１２ａ…円環部、１１２ｂ…入光部、１１２ｃ…凸部、１１２ｄ…凸部、１１２ｅ…凸部、１１２ｆ…凹部、１１２ｘ…第２内接円、１１３…低屈折率領域、１１４…入光面、１２０…本体部、１２１…下基板、１２２…上基板、１２３…表示層、１３０…バンド部、１４０…表示部、９１１…導光板、９１３…光源、９２１…下基板、９２２…上基板、９２３…隔壁、９２４…接合層、９２５…分散液、９２６…傾斜面、９２６ａ…領域、９２６ｂ…領域、Ｌ…光、Ｌ’…光、Ｌ１…光、Ｌ２…光、Ｌ３…光
【図１】
2019067535.tif 000003
【図２】
2019067535.tif 000004
【図３】
2019067535.tif 000005
【図４】
2019067535.tif 000006
【図５】
2019067535.tif 000007
【図６】
2019067535.tif 000008
【図７】
2019067535.tif 000009
【図８】
2019067535.tif 000010
【図９】
2019067535.tif 000011
【図１０】
2019067535.tif 000012
【図１１】
2019067535.tif 000013
【図１２】
2019067535.tif 000014
【図１３】
2019067535.tif 000015
【図１４】
2019067535.tif 000016
【図１５】
2019067535.tif 000017